【手続補正書】
【提出日】平成17年9月29日(2005.9.29)
【手続補正１】
【補正対象書類名】明細書
【補正対象項目名】発明の名称
【補正方法】変更
【補正の内容】
【発明の名称】ＥＰＧ画面生成装置及びＥＰＧ情報送出装置
【手続補正２】
【補正対象書類名】明細書
【補正対象項目名】特許請求の範囲
【補正方法】変更
【補正の内容】
【特許請求の範囲】  
【請求項１】
通信手段を介して、ユーザに番組を選択させるためのＥＰＧ画面を生成するために必要な情報を、他の機器から取得して、ＥＰＧ画面を生成するＥＰＧ画面生成装置であって、
前記ＥＰＧ画面の生成に必要な情報とは、前記他の機器が放送または記憶媒体から取得、およびまたは生成した番組情報であって、かつ、前記番組情報には、一つまたは異なる複数の形式が存在し、
前記他の機器から取得した該番組情報の形式を識別して、前記番組情報を一つの形式に特定する番組情報特定手段と、
前記番組情報特定手段に特定された該番組情報の形式に対応してＥＰＧ画面を生成するＥＰＧ画面生成手段と、
前記ＥＰＧ画面生成手段に生成された該ＥＰＧ画面を出力する出力手段と、
を備えることを特徴とするＥＰＧ画面生成装置。
【請求項２】
請求項１に記載のEPG画面生成装置において、
前記一つまたは異なる複数の形式の前記番組情報を解釈する番組情報解釈手段を備え、
前記EPG画面生成手段は、前記番組情報識別手段に特定された該番組情報の形式に対応して、該番組情報を前記番組情報解釈手段により解釈して、ＥＰＧ画面を生成することを特徴とするEPG画面生成装置。
【請求項３】
請求項２に記載のEPG画面生成装置において、
前記通信手段を介して、前記番組情報解釈手段を取得する番組情報解釈手段取得手段を備えることを特徴とするＥＰＧ画面生成装置。
【請求項４】
請求項３に記載のEPG画面生成装置において、前記他の機器から前記通信手段を介して、前記番組情報解釈手段を取得することを特徴とするEPG画面生成装置。
【請求項５】
請求項１に記載のＥＰＧ画面生成装置であって、
前記番組情報には、特定の番組に含まれる映像・音声信号を識別するための信号ＩＤが含まれ、
前記表示手段に表示された該ＥＰＧ画面から、特定の番組をユーザに選択させる番組選択手段と、
前記番組選択手段に選択された番組に対応する、前記信号ＩＤを取得する信号ＩＤ取得手段と、
前記信号ＩＤ取得手段に取得された該信号ＩＤに対応する映像・音声信号を、前記他の機器から取得する信号取得手段と、
を備えることを特徴とするＥＰＧ画面生成装置。
【請求項６】
請求項３乃至４に記載のＥＰＧ画面生成装置であって、
既に第二の前記番組情報解釈手段を備えていた場合には、前記番組情報解釈手段取得手段で該番組情報解釈手段を取得しないように構成され、
前記ＥＰＧ画面生成手段は、既に備えている該第二の番組情報解釈手段により、該番組情報を解釈して、ＥＰＧ画面を生成するように構成された、
ことを特徴とするＥＰＧ画面生成装置。
【請求項７】
請求項３乃至４に記載のＥＰＧ画面生成装置であって、
既に第二の前記番組情報解釈手段を備えていた場合に、前記番組情報解釈手段取得手段に取得された該番組情報解釈手段と、既に備えている該第二の番組情報解釈手段を比較する番組情報解釈手段比較手段と、
前記番組情報解釈手段比較手段による比較の結果に応じて、前記ＥＰＧ画面生成装置が備える該第二の番組情報解釈手段を、前記番組情報解釈手段取得手段に取得された該番組情報解釈手段に置き換える番組情報解釈手段置換手段と、を備え、
前記ＥＰＧ画面生成手段は、前記番組情報解釈手段置換手段に置き換えられた該番組情報解釈手段により、該番組情報を解釈して、ＥＰＧ画面を生成するように構成された、ことを特徴とするＥＰＧ画面生成装置。
【請求項８】
請求項１に記載のEPG画面生成装置であって、
前記番組情報には、少なくとも番組毎に番組名称と放送時刻の情報が含まれることを特徴とするＥＰＧ画面生成装置。
【請求項９】
請求項１に記載のＥＰＧ画面生成装置であって、
前記番組情報は、一定の時刻間毎およびまたは番組の種類毎に分けて生成された情報である、
ことを特徴とするＥＰＧ画面生成装置。
【請求項１０】
請求項１に記載のEPG画面生成装置において、
前記ＥＰＧ画面の生成に必要な情報とは、前記他の機器が放送または記憶媒体から取得した、一つまたは異なる複数の形式が存在する番組情報から生成した、ＥＰＧ画面を構成する一つ以上の構成要素に関する、図形およびまたは文字を表す要素情報、およびまたは、前記構成要素の該ＥＰＧ画面上の位置を表す位置情報、およびまたは、該構成要素の操作に対する処理を示す処理情報からなるＥＰＧ画面構成情報であることを特徴とするＥＰＧ画面生成装置。
【請求項１１】
請求項１０に記載のＥＰＧ画面生成装置であって、
前記ＥＰＧ画面構成情報には、さらに、前記構成要素に対応した要素ＩＤが含まれ、
前記表示手段に表示された該ＥＰＧ画面から、特定の番組をユーザに選択させる番組選択手段と、
前記番組選択手段に選択された番組に対応する、前記要素ＩＤを取得する要素ＩＤ取得手段と、
前記要素ＩＤ取得手段に取得された該要素ＩＤを、前記通信手段を介して前記他の機器に送信する要素ＩＤ送信手段と、
前記要素ＩＤ送信手段に送信された該要素ＩＤに対応する番組に含まれる映像・音声信号を識別するための信号ＩＤを、前記通信手段を介して前記他の機器から取得する信号ＩＤ取得手段と、
前記信号ＩＤ取得手段に取得された該信号ＩＤに対応する映像・音声信号を、前記通信手段を介して前記他の機器から取得する信号取得手段と、
を備えることを特徴とするＥＰＧ画面生成装置。
【請求項１２】
請求項１０に記載のＥＰＧ画面生成装置であって、
前記ＥＰＧ画面構成情報に含まれない情報をもとに、補助画面を生成する補助画面生成手段を備え、
前記表示手段は、前記ＥＰＧ画面生成手段に生成された該ＥＰＧ画面と、前記補助画面生成手段に生成された該補助画面を、重ね合わせて表示するように構成される、ことを特徴とするＥＰＧ画面生成装置。
【請求項１３】
通信手段を介して、ユーザに番組を選択させるためのＥＰＧ画面を生成するために必要な情報を、他の機器に送出するＥＰＧ情報送出装置であって、
前記ＥＰＧ画面の生成に必要な情報とは、一つまたは異なる複数の形式が存在する番組情報であって、
前記番組情報を、放送または記憶媒体から取得、およびまたは生成する番組情報取得手段と、
前記番組情報取得手段に取得された該番組情報を、前記通信手段を介して前記他の機器に送出する番組情報送出手段と、
を備えることを特徴とするＥＰＧ情報送出装置。
【請求項１４】
請求項１３に記載のEPG情報送出装置において、
前記番組情報を解釈する番組情報解釈手段と、
前記番組情報解釈手段を、前記通信手段を介して前記他の機器に送出する番組情報解釈手段送出手段と、
を備えることを特徴とするＥＰＧ情報送出装置。
【請求項１５】
請求項１３に記載のＥＰＧ情報送出装置であって、
前記番組情報には、特定の番組に含まれる映像・音声信号を識別するための信号ＩＤが含まれ、
前記他の機器から前記信号ＩＤを取得する信号ＩＤ取得手段と、
前記信号ＩＤ取得手段に取得された該信号ＩＤに対応する映像・音声信号を、
放送または記憶媒体から取得する映像・音声信号取得手段と、
前記映像・音声信号取得手段に取得された該映像・音声信号を、前記通信手段を介して前記他の機器に送出する映像・音声信号送出手段と、を備えることを特徴とするＥＰＧ情報送出装置。
【請求項１６】
請求項１３に記載のEPG情報送出装置において、
前記番組情報には、少なくとも番組毎に番組名称と放送時刻の情報が含まれていることを特徴とするＥＰＧ情報送出装置。
【請求項１７】
請求項１３に記載のＥＰＧ情報送出装置であって、
前記番組情報は、一定の時刻間毎およびまたは番組の種類毎に分けて変換された情報である、
を備えることを特徴とするＥＰＧ情報送出装置。
【請求項１８】
請求項１３に記載のEPG情報送出装置において、
前記ＥＰＧ画面の生成に必要な情報とは、一つまたは異なる複数の形式が存在する番組情報から生成した、ＥＰＧ画面を構成する一つ以上の構成要素に関する、図形およびまたは文字を表す要素情報、およびまたは、前記構成要素の該ＥＰＧ画面上の位置を表す位置情報、およびまたは、該構成要素の操作に対する処理を示す処理情報、からなるＥＰＧ画面構成情報であることを特徴とするＥＰＧ情報送出装置。
【請求項１９】
請求項１８に記載のＥＰＧ情報送出装置であって、
前記ＥＰＧ画面構成情報には、さらに、前記構成要素に対応した要素ＩＤが含まれ、
前記他の機器から前記要素ＩＤを取得する要素ＩＤ取得手段と、
前記要素ＩＤ取得手段に取得された該要素ＩＤに対応する番組に含まれる映像・音声信号を識別するための信号ＩＤを取得する信号ＩＤ取得手段と、
前記信号ＩＤ取得手段に取得された該信号ＩＤを、前記通信手段を介して前記他の機器に送出する信号ＩＤ送出手段と、
前記他の機器から前記信号ＩＤを取得する信号ＩＤ取得手段と、
前記信号ＩＤ取得手段に取得された該信号ＩＤに対応する映像・音声信号を、放送または記憶媒体から取得する映像・音声信号取得手段と、
前記映像・音声信号取得手段に取得された該映像・音声信号を、前記通信手段を介して前記他の機器に送出する映像・音声信号送出手段と、
を備えることを特徴とするＥＰＧ情報送出装置。
【請求項２０】
請求項１８に記載のＥＰＧ情報送出装置であって、
前記ＥＰＧ画面構成情報には、さらに、特定の番組に含まれる映像・音声信号を識別するための信号ＩＤが含まれ、
前記他の機器から前記信号ＩＤを取得する信号ＩＤ取得手段と、
前記信号ＩＤ取得手段に取得された該信号ＩＤに対応する映像・音声信号を、放送または記憶媒体から取得する映像・音声信号取得手段と、
前記映像・音声信号取得手段に取得された該映像・音声信号を、前記通信手段を介して前記他の機器に送出する映像・音声信号送出手段と、
を備えることを特徴とするＥＰＧ情報送出装置。
【手続補正３】
【補正対象書類名】明細書
【補正対象項目名】０００７
【補正方法】変更
【補正の内容】
【０００７】
本発明の目的は、使い勝手のよいＥＰＧ画面を作成することにある。
【手続補正４】
【補正対象書類名】明細書
【補正対象項目名】０００８
【補正方法】変更
【補正の内容】
【０００８】
【課題を解決するための手段】
上記課題を解決するため、例えば、通信手段を介して、ユーザに番組を選択させるための番組ガイド（以下ＥＰＧ）画面を生成するために必要な情報を、他の機器から取得して、ＥＰＧ画面を生成するＥＰＧ画面生成装置であって、前記ＥＰＧ画面の生成に必要な情報とは、前記他の機器が放送または記憶媒体から取得、およびまたは生成した番組情報であって、かつ、前記番組情報には、一つまたは異なる複数の形式が存在し、前記他の機器から取得した該番組情報の形式を識別して、前記番組情報を一つの形式に特定する番組情報識別手段と、前記番組情報識別手段に特定された該番組情報の形式に対応して、ＥＰＧ画面を生成するＥＰＧ画面生成手段と、前記ＥＰＧ画面生成手段に生成された該ＥＰＧ画面を、自装置が備えるまたは外部の表示装置に表示する表示手段と、を備えるように構成すればよい。
【手続補正５】
【補正対象書類名】明細書
【補正対象項目名】０００９
【補正方法】削除
【補正の内容】
【手続補正６】
【補正対象書類名】明細書
【補正対象項目名】０１０９
【補正方法】変更
【補正の内容】
【０１０９】
【発明の効果】
以上説明したように、本発明によれば、使い勝手のよいＥＰＧ画面を作成することができる。